(57)【要約】      （修正有）【課題】プーリー機構を用いたトラッキングエラーの無いトーンアームを提供する。【解決手段】トーンアーム２の支点Ｏを中心とする半径ＡＯの円Ｙ上に、スピンドル軸芯Ａ，ヘッドシェル７の軸芯Ｂ，Ｏに対するＡの点対象位置Ｃを配置すると、∠ＡＣＢは∠ＡＯＢの二分の一であることから、ヘッドシェル７の回動角速度をトーンアーム２の回動角速度の二分の一にすることで一度カンチレバーをレコード針の接するレコード溝の接線方向に設定すれば以後トラッキングエラー角度は常にゼロになる。回転比１：２のプーリーを、小径プーリー５はトーンアーム２の支点Ｏの同軸位置で台座に固定し、大径プーリー６をトーンアーム２の先端部に連結してプーリーベルト４で繋ぐことにより、大径プーリー６に接続したヘッドシェル７の回動角速度をトーンアーム２の回動角速度の二分の一することができる。以上の機構によりトラッキングエラーを生じない。【選択図】図１
0003213386.tif 000002
【実用新案登録請求の範囲】
【請求項１】
トーンアームの回動支点と同軸の位置に、トーンアームの台座に対して回転しないように小径プーリーを固定する。及びトーンアームの先端部に回転機構を介して大径プーリーを取り付ける。及び２つのプーリーをプーリーベルトでつなぐ。このとき小径プーリーと大径プーリーの回転比を２対１とする。及びトーンアームの回動支点からスピンドル軸芯までの距離と小径プーリーの中心すなわちトーンアームの回動軸芯から大径プーリーの中心までの距離を等しくする。及びヘッドシェルを大径プーリーに接続固定し、カートリッジをカンチレバーの先端すなわちレコード針の先端が大径プーリーの中心すなわちヘッドシェルの回動軸芯の鉛直線上にくる位置に取り付ける。及びスピンドル中心（Ａ）からトーンアームの回動軸芯（Ｏ）を通る直線状に線分（ＡＯ）＝線分（ＣＯ）となる仮想点（Ｃ）を置く。以上によりスピンドル軸芯（Ａ）、及び大径プーリーの中心すなわちレコード針の先端（Ｂ）、及び点（Ｃ）は線分（ＯＡ）を半径とする円（Ｙ）上に位置する。この結果、円周角（∠ＡＣＢ）は中心角（∠ＡＯＢ）の二分の一であることから、ヘッドシェルの回動角速度はトーンアームの回動角速度の二分の一となるとともに、角（∠ＡＢＤ）は直径（ＡＣ）上にあり直角であることから一度カンチレバーの方向をレコード針の接するレコード溝の接線上に設定すれば以後はカンチレバーはレコード針の接するレコード溝の接線（ＢＣ）上にあるためトラッキングエラー角度は常に０度である。
以上の機構と構造によるトラッキングエラーを生じないトーンアーム。
【請求項２】
「請求項１」の大小のプーリーを大小のプーリーギヤに、及びプーリーベルトをタイミングベルトに置き換えた、「請求項１」と同様機構によるトラッキングエラーを生じないトーンアーム。
【請求項３】
「請求項１」及び「請求項２」のプーリー２個一組のプーリー機構を複数組連結するとともに、組毎のプーリーの回転数比を全て乗じた結果を２にすることりよりヘッドシェルの回動角速度はトーンアームの回動角速度の二分の一となり、「請求項１」と同様機構によるトラッキングエラーを生じないトーンアーム。
【考案の詳細な説明】
【技術分野】
【０００１】  本考案はアナログレコードの再生において、トーンアームの回動角速度に対してヘッドシェルの回動角速度を二分の一にすることでカンチレバーを常にレコード針が接するレコード溝の接線上におくことができることにより、トラッキングエラーを生じないトーンアームに関するものである。
【背景技術】
【０００２】  ユニバーサルタイプと呼ばれる一支点回動のトーンアームはレコード盤の外側から内側に回動するとき、カンチレバーの向きは針先が接するレコード溝の接線に対してトラッキングエラーの原因となる角度誤差を生じる。この対策として、これまでにも複数の機構上の工夫がされているが、理論的に不完全もしくは機構や構造上の問題により実用に供せないものが多い。
【先行技術文献】
【特許文献】
【０００３】
【特許文献１】特開平９−５４９０１
【実用新案文献】
【０００４】
【実用新案文献１】
昭６１−６８５２０
【実用新案文献２】
昭６１−９５０４２
【実用新案文献３】
昭６２−２９５４
【実用新案文献４】
昭６２−１７６６１７
【考案の概要】
【考案が解決しようとする課題】
【０００５】  トラッキングエラーの生じないトーンアームを実現するためには、理論的にトラッキングエラーの生じない機構であることが必要である。
【課題を解決するための手段】
【０００６】  本考案は、ユークリッド幾何学における、円弧に対する円周角は中心角の二分の一であることの定理に基づいており、ヘッドシェルの回動角速度をプーリー機構によりトーンアームの回動角速度の二分の一にすることにより実現するものである。
【考案の効果】
【０００７】  上述により、プーリー機構を用いてヘッドシェルの回動角速度をトーンアームの回動角速度の二分の一にすることにより一度カンチレバーをレコード溝の接線方向にセットすれば以後は、トラッキングエラー角度は常に０度となりトラッキングエラーを生じない。
【図面の簡単な説明】
【０００８】
【図１】本考案の一実施例の概要を示す平面図である。
【図２】本考案の一実施例の概要を示すトーンアームの側面図である。
【図３】本考案の一実施例の概要を示す複数組みのプーリーセットを有するトーンアームの側面図である。
【考案を実施するための形態】
【０００９】  小径プーリーはトーンアームの回動支点同軸上の位置にトーンアーム台座に固定して取り付けられる。大径プーリーは水平方向に自由回転する機構でトーンアームに取り付けられる。また小径プーリーと大径プーリーはプーリーベルトまたはプーリー紐またはプーリー糸で連動する。従って、トーンアームが回動するに伴い大径プーリーは小径プーリーとの回転比に応じて回転する。ここで、大径プーリーと小径プーリーの回転比を１：２にすることで、大径プーリーの回転角速度はトーンアームの回動角速度の二分の一となる。また、トーンアーム回動支点からレコード中心すなわちスピンドル軸芯までの距離と、小径プーリーの中心すなわちトーンアーム回動支点から大径プーリー中心までの距離を等しくするとともに、大径プーリーにヘッドシェルを接続固定し、ヘッドシェルの回動軸芯上にカンチレバーの先端すなわちレコード針の先端がくるようにカートリッジを取り付けることで、一度カンチレバーの方向をレコード針が接するレコード溝の方向に設定すればカンチレバーは常にレコード針が接するレコード溝の接線方向上にあるためトラッキングエラー角度は０度となり、トラッキングエラーは生じない。また、この機構は小径プーリーギヤおよび大径プーリーギヤ及びタイミングベルトの組合せによっても実現できる。また、プーリーベルトで連動する二つのプーリーを１組のプーリーセットとしたとき複数組のプーリーセットを接続することによってもトラッキングエラー角度を０度にすることができる。
【実施例１】
【００１０】  以下、添付図面に従って一実施例を説明する。小径プーリー５はトーンアーム２の回動支点位置Ｏでトーンアーム台座１２に固定され、プーリーベルト４を介して大径プーリー６と繋がる。また、ヘッドシェル７は大径プーリー６に接続固定される。また、カンチレバー９の先端すなわちレコード針１０の先端は大径プーリー中心すなわちヘッドシェル回動軸芯Ｂの鉛直線上にある。また、トーンアーム回動支点Ｏからスピンドル軸芯Ａまでの距離とトーンアーム回動支点Ｏから大径プーリー中心Ｂまでの距離を等しく設定する。【００１１】  点Ｃを線分ＡＯの延長線上にあり、線分ＡＯ＝線分ＣＯとする。レコードの中心すなわちスピンドル軸芯Ａ、及び大径プーリーの中心すなわちレコード針１０の先端Ｂ、及び点ＣがＯを中心とし、線分ＡＯを半径とする円Ｙ上にあることから、角∠ＡＣＢは角∠ＡＯＢの二分の一である。【００１２】  従って、大径プーリー６と小径プーリー５の回転比を１：２にすることでヘッドシェル７の中心線すなわちカートリッジ８の中心線すなわちカンチレバー９の方向は線分ＢＣ上にあるとともに角∠ＡＢＣは直径上の円周角であり直角であることからカンチレバー９はレコード針１０が接するレコード溝の接線方向ＢＣ上にある。【００１３】  上述によりトラッキングエラー角度は０度となり、トラッキングエラーを生じない。
【実施例２】
【００１４】  以下、添付図面に従って一実施例を説明する。プーリー４個でプーリーセットを２組連結し、またプーリーＱ１とプーリーＰ２は同軸であるとともに一体であるとき、プーリーＱ１に対するプーリーＰ１の回転比とプーリーＱ２に対するプーリーＰ２の回転比の積を２にすることによりプーリーＱ２の回転角速度すなわちヘッドシェル７の回動角速度はトーンアーム２の回動角速度の２分の一となり、実施例１と同様にトラッキングエラー角度は０度となり、トラッキングエラーを生じない。【００１５】  また、プーリーセットが３組以上の場合においてもプーリーセット各組の回転比を全て乗じた結果を２にすることにより上述と同様にトラッキングエラー角度は０度となり、トラッキングエラーを生じない。
【符号の説明】
【００１６】  １    レコードまたはターンテーブル
２    トーンアーム
３    レコード針圧調整用のバランスウェイト
４    プーリーベルトまたはタイミングベルト
５    小径プーリーまたは小径プーリーギヤ
６    大径プーリーまたは大径プーリーギヤ
７    ヘッドシェル
８    カートリッジ
９    カンチレバー
１０  レコード針
１１  軸受け
１２  トーンアーム台座
Ｐ１  プーリーセット１のトーンアーム回動支点側プーリー
Ｐ２  プーリーセット２のトーンアーム回動支点側プーリー
Ｑ１  プーリーセット１のトーンアーム先端側プーリー
Ｑ２  プーリーセット２のトーンアーム先端側プーリー
Ｏ    トーンアームの回動軸芯であり、小径プーリーの中心
Ａ    レコードの中心であり、ターンテーブルの中心であり、スピンドルの軸芯
Ｂ    大径プーリーの回転軸芯であり、ヘッドシェルの回動軸芯であり、カンチレバーの先端すなわちレコード針の先端の鉛直線
Ｃ    線分ＡＯの延長線上にあり、線分ＡＯ＝線分ＣＯ
Ｙ    Ｏを中心とし、線分ＡＯを半径とする仮想円。Ａ、Ｂ、Ｃは円Ｙ上に位置する。
【図１】
0003213386.tif 000003
【図２】
0003213386.tif 000004
【図３】
0003213386.tif 000005
【手続補正書】
【提出日】平成29年8月18日(2017.8.18)
【手続補正１】
【補正対象書類名】実用新案登録請求の範囲
【補正対象項目名】全文
【補正方法】変更
【補正の内容】
【実用新案登録請求の範囲】
【請求項１】
アナログレコードの再生に使用する一支点回動のトーンアームにおいて、
（１）トーンアーム回動支点の同軸上にトーンアームの台座に対して回転しないように小径プーリーを設置固定し、
（２）水平方向に自由回動する機構で大径プーリーをトーンアームの先端部に連結し、
（３）大小２つのプーリーをプーリーベルトでつなぎ、
（４）カートリッジを担持したヘッドシェルをカンチレバーの先端すなわちレコード針の先端が大径プーリーの回動軸芯の鉛直線上にくる位置で大径プーリーに連動するように接続し、
（５）小径プーリーの中心すなわちトーンアームの回動軸芯から大径プーリーの軸芯までの距離がトーンアームの回動支点からスピンドル軸芯までの距離に等しい位置にトーンアームを配置する、
（６）ここで小径プーリーと大径プーリーの回転比を２対１にすることにより、
（７）ヘッドシェルの回動角速度がトーンアームの回動角速度の二分の一になり一度カンチレバーの方向をレコード針の接するレコード溝の接線上に設定すれば以後カンチレバーはレコード針の接するレコード溝の接線上にあるためトラッキングエラー角度は常に０度である、
以上の構造と機構によりトラッキングエラーを生じないトーンアーム。
【請求項２】
アナログレコードの再生に使用する一支点回動のトーンアームにおいて、
（１）トーンアーム回動支点の同軸上にトーンアームの台座に対して回転しないように小径プーリーギヤを設置固定し、
（２）水平方向に自由回動する機構で大径プーリーギヤをトーンアームの先端部に連結し、
（３）大小２つのプーリーギヤをタイミングベルトでつなぎ、
（４）カートリッジを担持したヘッドシェルをカンチレバーの先端すなわちレコード針の先端が大径プーリーギヤの回動軸芯の鉛直線上にくる位置で大径プーリーギヤに連動するように接続し、
（５）小径プーリーギヤの中心すなわちトーンアームの回動軸芯から大径プーリーギヤの軸芯までの距離がトーンアームの回動支点からスピンドル軸芯までの距離に等しい位置にトーンアームを配置する、
（６）ここで小径プーリーギヤと大径プーリーギヤの回転比を２対１にすることにより、
（７）ヘッドシェルの回動角速度がトーンアームの回動角速度の二分の一になり一度カンチレバーの方向をレコード針の接するレコード溝の接線上に設定すれば以後カンチレバーはレコード針の接するレコード溝の接線上にあるためトラッキングエラー角度は常に０度である、
以上の構造と機構によりトラッキングエラーを生じないトーンアーム。
【請求項３】
プーリーまたはプーリーギヤ２個一組のプーリーセットを複数組連結するとともに、組毎のプーリーセットの回転比全ての積を２にすることりよりヘッドシェルの回動角速度はトーンアームの回動角速度の二分の一となり、請求項１または請求項２に記載されたトラッキングエラーを生じないトーンアーム。